(57)【要約】      （修正有）【課題】電力変換器の手動の設定の際、入力の誤りが生じてしまう可能性のない方法および制御ユニットを提供する。【解決手段】モータ２の巻線の少なくとも１つの特性を検出することと、モータ２の巻線の検出された少なくとも１つの特性に基づいて、事前に規定された複数の制御データセットから少なくとも１つの制御データセットを選択することと、決定された少なくとも１つの制御データセットを使用して、電力変換器１を設定する。【選択図】図１
2019129704.tif 000002
【特許請求の範囲】
【請求項１】
電気的なモータ（２）に対応付けられた電力変換器（１）を設定する方法であって、
前記モータ（２）の巻線の少なくとも１つの特性を検出することと、
前記モータ（２）の巻線の検出された前記少なくとも１つの特性に基づいて、事前に規定された複数の制御データセットから少なくとも１つの制御データセットを選択することと、
決定された前記少なくとも１つの制御データセットを使用して、前記電力変換器（１）を設定することと、
を含む、方法。
【請求項２】
検出された前記少なくとも１つの特性に対応付けられた制御データセットを利用することが不可能である場合には、エラーメッセージが出力される、
請求項１記載の方法。
【請求項３】
前記エラーメッセージは、制御データセットを選択する試行が少なくとも２回失敗した後にのみ実施される、
請求項２記載の方法。
【請求項４】
前記モータ（２）の巻線の以下の特性：
・静電容量
・インダクタンス
・オーム抵抗
のうち少なくとも１つが検出される、
請求項１から３までのいずれか１項記載の方法。
【請求項５】
前記モータ（２）の巻線の少なくとも１つの特性を検出することは、前記モータ（２）が停止しているときに実施される、
請求項１から４までのいずれか１項記載の方法。
【請求項６】
前記電力変換器（１）を設定することは、
前記電力変換器（１）の初期設定が提供され、
前記電力変換器（１）の前記初期設定が、検証が肯定的な場合には維持され、検証が否定的である場合には修正される
ことによって実施される、
請求項１から５までのいずれか１項記載の方法。
【請求項７】
プログラマブルデバイス、特に電力変換器（１）のための制御ユニット（５）のためのコンピュータプログラム製品であって、
前記コンピュータプログラム製品は、前記プログラマブルデバイスによってロードおよび実行された場合に、請求項１から６までのいずれか１項記載の方法の各ステップを実施するための読み出し可能な命令シーケンスを含む、
コンピュータプログラム製品。
【請求項８】
請求項１から６までのいずれか１項記載の方法の各ステップを実施するためのコンピュータプログラムの命令を格納する、機械可読記憶媒体。
【請求項９】
電気的なモータ（２）に対応付けられた電力変換器（１）のための制御ユニット（５）であって、
前記制御ユニットは、
前記モータ（２）の巻線の少なくとも１つの特性を検出するための測定手段に結合可能であるか、結合されているか、または、前記測定手段を含み、
前記モータ（２）の巻線の検出された前記少なくとも１つの特性に基づいて、事前に規定された複数の制御データセットから少なくとも１つの制御データセットを選択するための手段と、
選択された前記少なくとも１つの制御データセットを使用して、前記電力変換器（１）を設定するためのコンフィギュレータと、
を有する、制御ユニット（５）。
【請求項１０】
請求項９記載の制御ユニット（５）が組み込まれている、電力変換器（１）。
【発明の詳細な説明】
【技術分野】
【０００１】
本発明は、電気的なモータに対応付けられた電力変換器を設定するための方法および制御ユニットと、本方法の各ステップを実施するためのコンピュータプログラム製品および機械可読記憶媒体と、そのような制御ユニットが組み込まれている電力変換器とに関する。
【背景技術】
【０００２】
周波数変換器のような電力変換器を介して電気的なモータにエネルギを供給し、その際に、電力変換器によって出力される出力信号をモータに適合させることが知られている。そのような適合は、電力変換器の手動の設定を定期的に必要とする。その際、これによって入力の誤りが生じてしまう可能性がある。
【０００３】
独国特許出願公開第１０１３６５３０号明細書（DE 101 36 530 A1）は、回転数制御された駆動装置のための制御可能な周波数変換器を記載しており、この周波数変換器は、周波数変換器を使用開始するための試験ルーチンおよび初期化プログラムを実施することができるマイクロコントローラを含む。
【先行技術文献】
【特許文献】
【０００４】
【特許文献１】独国特許出願公開第１０１３６５３０号明細書
【発明の概要】
【発明が解決しようとする課題】
【０００５】
このことに基づいて、本発明は、従来技術から知られている欠点を少なくとも部分的に克服し、特に入力の誤りを回避するための解決策を提示しようとするものである。
【課題を解決するための手段】
【０００６】
このために本発明は、それぞれの独立請求項に記載された特徴を有する方法と、コンピュータプログラム製品と、機械可読記憶媒体と、制御ユニットと、電力変換器とを提案する。好ましい発展形態は、従属請求項の対象である。従属請求項に個々に記載されている特徴は、技術的に意味のある任意の方法で相互に組み合わせることが可能であり、本発明のさらなる実施形態を規定することが可能である。さらに、特許請求の範囲に記載されている特徴は、明細書において詳細に明記および説明されており、これによって本発明のさらなる好ましい実施形態を提示することが可能である。
【０００７】
本発明によって提供される、電気的なモータに対応付けられた電力変換器を設定するための方法は、モータの巻線の少なくとも１つの特性を検出するステップと、モータの巻線の検出された少なくとも１つの特性に基づいて、事前に規定された複数の制御データセットから少なくとも１つの制御データセットを選択するステップと、決定された少なくとも１つの制御データセットを使用して、電力変換器を設定するステップとを含む。
【０００８】
「電力変換器」とは、電気的な入力信号を電気的な出力信号に変換することができる電子部品であると理解される。特に、電力変換器によって交流電流のパラメータを変更することができ、したがって、少なくとも以下の変数、すなわち周波数、電流振幅、電圧振幅のうちの１つに関して出力信号を入力信号と異ならせることができる。また、電力変換器によって直流電流を交流電流に変換することも可能であり、またその逆も可能である。この場合には、整流器について話題にされている。好ましくは、電力変換器は、周波数変換器として構成されている。そのような場合、入力信号と出力信号とは、周波数および／または少なくとも１つの振幅の点でそれぞれ異なっている。振幅として、電圧振幅および電流振幅の両方が考慮される。以下では、この意味において一般的に「振幅」について話題にされる。特に周波数変換器を、電気的なモータ、特に３相モータのような電気負荷への給電のために使用することができる。
【０００９】
電力変換器は、電気的なモータに対応付けられている。本明細書における「対応付け」として、特に、電力変換器を介してモータにエネルギを供給することができるように、電力変換器とモータとが相互に接続されていることが考慮される。これに代えて、「対応付け」を、電力変換器がモータに接続されるように意図されていることであると理解することもできる。したがって、電力変換器を、まず始めにモータのために設定することができ、その後にのみ、電力変換器を介したモータへの給電が可能となるようにモータに接続することができる。
【００１０】
１つの実施例によれば、好ましくは、電力変換器によって出力可能な、または出力される出力信号は、周波数および／または振幅に関してモータの要件に適合されるか、または適合されている。したがって、電力変換器の設定によって、出力信号の周波数および／または振幅に関する目標値を、給電すべきモータに適合させることができる。
【００１１】
上述したように電力変換器によってエネルギが供給される３相モータは、特に、例えばオープンエンド紡績機、リング紡績機、巻取機、および撚糸・撚合機のような繊維機械において使用することができる。本発明によって提案される解決策は、必ずしもそのような用途に限定されているわけではない。本提案による解決策は、特に、この解決策が技術的に有意義であると思われる任意の電力変換器および任意のモータと一緒に使用することができる。
【００１２】
モータが異なれば、基本的に、電力変換器によって供給される周波数および振幅に対する要求も異なる可能性がある。好ましい実施形態による電力変換器を、このようなそれぞれ異なる要求を有する複数の異なるモータのために使用することができるようにするために、そのような電力変換器を、本提案による方法によって設定することができ、ひいては、そうでなければ発生する可能性がある入力の誤りを回避しながら、対応するモータに簡単に適合させることができる。
【００１３】
さらなる好ましい実施形態によれば、本提案による方法を、好ましい実施形態による制御ユニットによって実施することができる。したがって、制御ユニットは、好ましくは本方法を実施するように意図および構成されている。好ましくは、制御ユニットは、電力変換器に組み込まれている。これに代えて、電力変換器と制御ユニットとを物理的に分離して、有線および／または無線もしくはワイヤレス接続を介して相互に結合すること、または結合可能にすることも可能である。
【００１４】
本発明によれば、本方法は、モータの巻線の少なくとも１つの特性を検出するステップを含む。モータの巻線は、特にコイル巻線とすることができる。モータは、好ましくは１つまたは複数の巻線を含むことができ、本方法によって複数の巻線のうちの少なくとも１つの巻線の特性が検出される。
【００１５】
好ましくは、検出された少なくとも１つの特性から、モータがどのようなモータ種類であるかを識別することができる。したがって好ましくは、可能性のある複数のモータ種類および／またはモータから現在のモータのモータ種類を識別するために十分となるような、モータの特性が検出される。可能性のあるモータ種類は、対応付けられた電力変換器の意図および構成が対象としている全てのモータ種類である。可能性のあるモータ種類が多くなればなるほど、一義的な識別を実施することができるようにするために必要とされる情報が広範囲にわたる可能性がある。
【００１６】
モータの巻線の少なくとも１つの特性を検出することは、特に、少なくとも１つの特性を測定することとすることができる。好ましくは、モータの巻線の少なくとも１つの特性を検出することは、モータが停止しているときに実施される。このことにより、少なくとも１つの特性を正確に検出すること、特に、例えば誘導電圧による動的な影響なしに検出することを容易にすることができる。
【００１７】
モータの巻線の少なくとも１つの特性を検出するために、本発明に係る制御ユニットは、測定手段を有する。測定手段は、特に入力部を有することができ、制御ユニットは、この入力部を介して信号を受信することができ、この信号から少なくとも１つの特性を検出することができる。信号は、例えば巻線を通って流れる電流とすることができ、この電流から巻線の特性を直接的に検出することができる。このために測定手段には、好ましくは電流測定器および／または電圧測定器が設けられている。しかしながら、測定手段が、電流測定器、電圧測定器、および／またはセンサからの信号を受信し、この信号から少なくとも１つの特性を検出することも可能である。
【００１８】
本発明に係る方法はさらに、モータの巻線の検出された少なくとも１つの特性に基づいて、事前に規定された複数の制御データセットから少なくとも１つの制御データセットを選択するステップを含む。
【００１９】
周波数および／または振幅のような所定のモータのために使用されるパラメータは、好ましくは、それぞれのモータまたはそれぞれのモータ種類に対応付けられた制御データセットに読み出し可能に、さらに好ましくは変更可能に格納されている。このことは特に、可能性のある複数のモータまたはモータ種類ごとにそれぞれの制御データセットが格納されているデータベースにおいて当てはまり得る。好ましくは、可能性のあるそれぞれのモータまたはモータ種類ごとに１つの対応する制御データセットがデータベースに格納されている。このために例えば、可能性のあるそれぞれのモータまたはモータの種類ごとに、どの周波数および／または振幅を使用すべきであるかを実験および／またはシミュレーションによって求めることができる。このようにして得られた情報は、データベースに、好ましくは保存可能に、すなわち書き込み保護と共に記憶することができ、および／または、変更可能に記憶することができる。
【００２０】
少なくとも１つの特性が検出された後、複数の制御データセットから、現在のモータのために使用すべき制御データセットを識別することができる。
【００２１】
好ましくは、モータの複数の特性が検出される。この場合には、好ましくは、検出された複数の特性の組み合わせに対応付けられている制御データセットが選択される。
【００２２】
検出された少なくとも１つの特性に正確に対応付けられている制御データセットが利用可能である場合には、好ましくはこの制御データセットが選択される。しかしながら、モータの巻線の特性が測定によって検出される場合には、特に測定精度の範囲内で、制御データセットに格納されている値と、測定された値との間に偏差が生じる可能性がある。したがって、好ましくは、それぞれ設定可能な許容公差の範囲内で、モータの巻線の検出された少なくとも１つの特性に対応付けられている制御データセットが選択される。例えば、検出された特性の各々に対して、制御データセットに格納されているそれぞれの値から５％の偏差を許容することができる。許容公差の範囲は、必要に応じて選択することができる。例えば、この偏差を５％未満、あるいはそれ以上、好ましくは１０％以上に選択することができる。データベースに格納されている制御データセットが多くなればなるほど、許容公差は、好ましくはより小さく選択される。
【００２３】
−特に許容公差も考慮して−制御データセットを利用することが不可能であるモータまたはモータ種類と共に、本方法が実施された場合には、好ましくはエラーメッセージが出力される。エラーを回避するために、好ましくは、エラーメッセージは、制御データセットを選択する試行が少なくとも２回失敗した後にのみ実施される。制御データセットを選択する試行は、特にデータベースへのアクセスを含むことができる。
【００２４】
本発明に係る制御ユニットは、モータの巻線の検出された少なくとも１つの特性に基づいて、事前に規定された複数の制御データセットから少なくとも１つの制御データセットを選択するための手段を有する。この手段は、特に、検出された少なくとも１つの特性と、事前に規定された制御データセットとの比較を実施する比較器とすることができる。特に、この手段を、対応するソフトウェアを有するプロセッサとして実現することもできる。
【００２５】
使用するべき制御データセットを識別する過程において、電力変換器を、好ましくは、この制御データセットに格納されているパラメータに基づいて、特に出力信号の周波数および／または振幅に関して設定することができる。本発明に係る方法では、このことは、決定された少なくとも１つの制御データセットを使用して、電力変換器を設定するステップを含む。
【００２６】
設定は、特に、電力変換器が既存の設定とは関係なく、選択された制御データセットに基づいて設定されることによって実施することができる。この場合、電力変換器が以前に他のモータのために使用されていたかどうか、または、例えば最初の設定であるかどうかは重要ではない。これに代えて、好ましくは、１つの実施形態による本方法による設定は、周波数変換器の初期設定が提供され、周波数変換器の初期設定が、検証が肯定的な場合には維持され、検証が否定的な場合には修正されるようにして実施される。電力変換器が既に所望のように設定されている場合には、同じパラメータを改めて設定するコストを回避することができる。
【００２７】
本発明に係る制御ユニットは、選択された少なくとも１つの制御データセットを使用して、電力変換器を設定するためのコンフィギュレータを含む。コンフィギュレータは、特に、少なくとも１つの制御データセットを選択するための手段と一緒に、特に対応するソフトウェアを有するプロセッサとして構成することができる。コンフィギュレータによって、特に、電力変換器の設定すべきパラメータが含まれた設定信号を出力することができる。電力変換器が設定信号を受信すると、電力変換器は、好ましくは設定信号に含まれているパラメータに基づいて設定される。
【００２８】
したがって、本発明に係る方法および制御ユニットによれば、巻線の特性を測定することによってモータまたはモータ種類を識別することが可能となり、好ましくは、電力変換器の出力信号が、対応付けられたモータに適した周波数および／または振幅を有するように、対応する制御データセットによって電力変換器を設定することが可能となる。所要のパラメータを手動で入力する必要がないので、対応するエラーを回避することができる。特に、モータおよび／または電力変換器の交換によって、または符号化エラーによって生じるエラーを回避することができる。入力および／または手動の設定が失念されること、および／または電力変換器が誤った設定によって動作されることを回避することもできる。
【００２９】
同じ利点を、コンピュータ実装によって達成することができる。このために本発明によれば、上述した実施形態のうちの１つによる方法の各ステップを実施するようにそれぞれ企図および構成された、対応するコンピュータプログラム製品および機械可読記憶媒体が提案される。そのようなコンピュータプログラム製品は、好ましくは、コンピュータが使用可能なプログラムコードが使用可能に組み込まれている任意の物理的に構成された媒体とすることができる。機械可読記憶媒体は、好ましくは、フロッピーディスク、ＣＤまたはＤＶＤ、ハードディスク、磁気テープ装置、ソリッドステートメモリ、ＵＳＢスティック等のような実体的な記録媒体とすることができる。これに代えて、機械可読記憶媒体は、特に電気信号、電子信号、光学信号、音響信号、磁気信号、または例えば特にマイクロ波信号または高周波信号の形態の電磁信号のような、これらを組み合わせた信号を含む、一時的な記録媒体であってもよい。
【００３０】
以下では本発明を、添付の図面に基づいて詳細に説明するが、本発明は、そこで示される実施例に限定されていない。
【図面の簡単な説明】
【００３１】
【図１】好ましい実施例による、電力変換器と、電力変換器に対応付けられたモータとを示す図である。
【図２】好ましい実施例による、図１の電力変換器を設定するための方法を示す図である。
【発明を実施するための形態】
【００３２】
図１は、電力変換器１の概略図を示し、この電力変換器１は、入力信号３を出力信号４に変換するように意図および構成されている。出力信号４を介して、電力変換器１に対応付けられたモータ２に電気エネルギが供給される。電力変換器１は、制御ユニット５を有し、この制御ユニット５は、電力変換器１に組み込まれている。制御ユニット５によって、電力変換器１を設定することができる。
【００３３】
好ましい本実施例による電力変換器１は、周波数変換器として構成されている。そのような場合、入力信号３と出力信号４とは、周波数および／または少なくとも１つの振幅の点でそれぞれ異なっている。振幅として、電圧振幅および電流振幅の両方が考慮される。以下では、この意味において一般的に「振幅」について話題にされる。
【００３４】
電力変換器１は、電気的なモータ２に対応付けられている。本明細書における「対応付け」として、特に、電力変換器１を介してモータ２にエネルギを供給することができるように、電力変換器１とモータ２とが相互に接続されていることが考慮される。しかしながら、本明細書における「対応付け」を、電力変換器１がモータ２に接続されるように意図されていることであると理解することもできる。したがって、電力変換器１を、まず始めにモータ２のために設定することができ、その後にのみ、電力変換器１を介したモータ２への給電が可能となるようにモータ２に接続することができる。
【００３５】
電力変換器１によって出力される出力信号４は、周波数および／または振幅に関してモータ２の要求に適合されている。したがって、電力変換器１の設定によって、出力信号４の周波数および／または振幅に関する目標値を、給電すべきモータ２に適合させることができる。
【００３６】
モータが異なれば、電力変換器１によって供給される周波数および振幅に対する要求も異なる可能性がある。電力変換器１を、このようなそれぞれ異なる要求を有する複数の異なるモータのために使用することができるようにするために、電力変換器１を、以下に説明する方法によって設定することができ、ひいてはモータ２に適合させることができる。以下では、１つの実施例による好ましい方法を図１に関して一般的に説明する。その後、本方法の具体的な実施形態を図２に基づいて説明する。
【００３７】
本実施例による方法は、上述した制御ユニット５によって実施される。制御ユニット５は、本方法を実施するように意図および構成されている。好ましくは、制御ユニット５を電力変換器１に組み込むことができる。しかしながら、電力変換器１と制御ユニット５とを物理的に分離して、有線または無線もしくはワイヤレス接続を介して相互に結合すること、または結合可能にすることも可能である。
【００３８】
本実施例による方法は、モータ２の巻線の少なくとも１つの特性を検出することを含む。モータ２の巻線は、本実施例ではコイル巻線によって形成されている。巻線は、１回巻きであっても、または複数巻きであってもよい。
【００３９】
検出された少なくとも１つの特性から、モータ２がどのようなモータ種類であるかを識別することができる。したがって、可能性のある複数のモータ種類および／またはモータから現在のモータ２のモータ種類を識別することができるようにするために十分となるような、モータ２の特性を検出するべきである。可能性のあるモータ種類は、電力変換器１の意図および構成が対象としている全てのモータ種類である。可能性のあるモータ種類が多くなればなるほど、一義的な識別を実施することができるようにするために必要とされる情報が広範囲にわたる可能性がある。
【００４０】
モータ２の巻線の少なくとも１つの特性を検出することは、本実施例によれば、少なくとも１つの特性を測定することによって実現される。モータ２の巻線の少なくとも１つの特性を検出することは、モータ２が停止しているときに実施することができる。このことにより、少なくとも１つの特性を正確に検出すること、特に、例えば誘導電圧による動的な影響なしに検出することが容易になる。
【００４１】
モータ２の巻線の少なくとも１つの特性を検出するために、制御ユニット５は、測定手段を有する。本実施例による測定手段は、入力部を有し、制御ユニット５は、この入力部を介して信号を受信し、この信号から少なくとも１つの特性が検出される。信号は、例えば巻線を通って流れる電流とすることができ、この電流から巻線の特性を直接的に検出することができる。このために測定手段には、電流測定器および／または電圧測定器が設けられている。しかしながら、測定手段が、電流測定器、電圧測定器、および／またはセンサからの信号を受信し、この信号から少なくとも１つの特性を検出することも可能である。
【００４２】
本実施例による方法はさらに、モータ２の巻線の検出された少なくとも１つの特性に基づいて、事前に規定された複数の制御データセットから少なくとも１つの制御データセットを選択することを含む。
【００４３】
周波数および／または振幅のような所定のモータのために使用されるパラメータは、本実施例では、それぞれのモータまたはそれぞれのモータ種類に対応付けられた制御データセットに格納されている。このことは特に、可能性のある複数のモータまたはモータ種類ごとにそれぞれの制御データセットが格納されているデータベースにおいて当てはまり得る。例えば、可能性のあるそれぞれのモータまたはモータ種類ごとに１つの対応する制御データセットがデータベースに格納されている。
【００４４】
少なくとも１つの特性が検出された後、複数の制御データセットから、現在のモータ２のために使用すべき制御データセットが識別される。好ましくは、モータ２の複数の特性を検出することができる。この場合には、検出された複数の特性の組み合わせに対応付けられている制御データセットを選択すべきである。
【００４５】
１つの実施例によれば、検出された少なくとも１つの特性に正確に対応付けられている制御データセットが選択される。
【００４６】
しかしながら、モータ２の巻線の特性が測定によって検出される場合には、特に測定精度の範囲内で、制御データセットに格納されている値と、測定された値との間に偏差が生じる可能性がある。したがって、別の１つの実施例では、それぞれ設定可能な許容公差の範囲内で、モータ２の巻線の検出された少なくとも１つの特性に対応付けられている制御データセットが選択される。例えば、検出された特性の各々に対して、制御データセットに格納されているそれぞれの値から５％の偏差を許容することができる。許容公差の範囲は、必要に応じて選択することができる。例えば、この偏差を５％未満、あるいはそれ以上、好ましくは１０％以上に選択することができる。データベースに格納されている制御データセットが多くなればなるほど、許容公差はより小さく選択される。
【００４７】
−特に許容公差も考慮して−制御データセットを利用することが不可能であるモータまたはモータ種類と共に、本方法が実施された場合には、本実施例によればエラーメッセージが出力される。エラーを回避するために、エラーメッセージは、制御データセットを選択する試行が少なくとも２回失敗した後にのみ実施される。制御データセットを選択する試行は、特にデータベースへのアクセスを含むことができる。
【００４８】
制御ユニット５は、モータ２の巻線の検出された少なくとも１つの特性に基づいて、事前に規定された複数の制御データセットから少なくとも１つの制御データセットを選択するための手段を有する。１つの実施例による手段は、検出された少なくとも１つの特性と、事前に規定された制御データセットとの比較を実施する比較器である。別の１つの実施例によれば、この手段を、対応するソフトウェアを有するプロセッサとして実現することもできる。
【００４９】
使用すべき制御データセットが識別された後、電力変換器１は、この制御データセットに格納されているパラメータに基づいて、特に出力信号４の周波数および／または振幅に関して設定される。このために本実施例による方法は、決定された少なくとも１つの制御データセットを使用して、電力変換器１を設定することを含む。
【００５０】
設定は、電力変換器１が既存の設定とは関係なく、選択された制御データセットに基づいて設定されることによって実施される。この場合、電力変換器１が以前に他のモータのために使用されていたかどうか、または例えば最初の設定であるかどうかは重要ではない。
【００５１】
さらなる実施例によれば、本方法による設定は、周波数変換器の初期設定が提供され、周波数変換器の初期設定が、検証が肯定的な場合には維持され、検証が否定的な場合には修正されるようにして実施される。電力変換器１が既に所望のように設定されている場合には、同じパラメータを改めて設定するコストを回避することができる。
【００５２】
制御ユニット５は、選択された少なくとも１つの制御データセットを使用して、電力変換器１を設定するためのコンフィギュレータを含む。コンフィギュレータは、特に、少なくとも１つの制御データセットを選択するための手段と一緒に、特に対応するソフトウェアを有するプロセッサとして構成することができる。コンフィギュレータによって、特に、電力変換器１の設定すべきパラメータが含まれた設定信号を出力することができる。電力変換器１が設定信号を受信すると、電力変換器１は、好ましくは設定信号に含まれているパラメータに基づいて設定される。
【００５３】
したがって、本記載による方法によれば、巻線の特性を測定することによってモータまたはモータ種類を識別することが可能となり、電力変換器１の出力信号４がモータ２に適した周波数および／または振幅を有するように、対応する制御データセットによって電力変換器１を設定することが可能となる。所要のパラメータを手動で入力する必要がないので、対応するエラーを回避することができる。特に、モータ２および／または電力変換器１の交換によって、または符号化エラーによって生じるエラーを回避することができる。入力および／または手動の設定が失念されること、および／または電力変換器１が誤った設定によって動作されることを回避することもできる。
【００５４】
図２には、１つの実施例による方法が示されている。本方法は、スイッチオフされている電力変換器１を有する、参照符号６が付されたボックスにおいて開始する。供給電圧のスイッチオンの後、初期化７が実施される。初期化７では、電力変換器１が設定されるか否かが判定される。例えば、本記載による方法による設定は、電力変換器１がスイッチオンされるたびに実施されるのではなく、例えば所与の状況下でのみ実施されるようにすることができる。電力変換器１が設定されない場合には、電力変換器１は、初期化後には動作準備が完了している。このことは、参照符号１３を有するボックスへの矢印によって示されている。参照符号１３を有するボックスは、動作準備が完了した状態を示す。これに対して、設定を実施すべき場合には、まず始めに回転数制御部８によって、モータ２が停止しているかどうかがチェックされる。これが該当しない場合には、電力変換器１は、動作準備が完了した状態１３へと移行する。これに対してモータ２が停止している場合には、モータ２の少なくとも１つの特性の検出９が実施される。その後、否定的な検証１０と設定変更１１とを経て、または肯定的な検証１２を経て、電力変換器１を、動作準備が完了した状態１３へと移行させることができる。所要の制御データセットが存在しない場合には、エラーメッセージ１４が出力される。
【符号の説明】
【００５５】
１  電力変換器
２  モータ
３  入力信号
４  出力信号
５  制御ユニット
６  スイッチオフされた電力変換器
７  初期化
８  回転数制御部
９  検出
１０  否定的な検証
１１  設定変更
１２  肯定的な検証
１３  動作準備が完了した状態
１４  エラーメッセージ
【図１】
2019129704.tif 000003
【図２】
2019129704.tif 000004
【外国語明細書】
2019129704.tif 000005
2019129704.tif 000006
2019129704.tif 000007
2019129704.tif 000008
2019129704.tif 000009
2019129704.tif 000010
2019129704.tif 000011
2019129704.tif 000012
2019129704.tif 000013
2019129704.tif 000014
2019129704.tif 000015
2019129704.tif 000016
2019129704.tif 000017
2019129704.tif 000018
2019129704.tif 000019
2019129704.tif 000020